(57)【要約】【課題】引掛シーリングに不完全に取り付けられた状態であることをユーザが気づきやすい照明器具用アダプタを提供する。【解決手段】取り付け面が引掛シーリングの面に対向した状態で引掛シーリングに取り付けられる筐体１１５と、照明器具と照明器具用アダプタ１００とを電気的に接続するためのコネクタが接続される、筐体１１５に設けられた接続部１５０と、（１）筐体１１５が所定の位置関係で引掛シーリングに取り付けられている場合に、取り付け面から突出し、（２）筐体が所定の位置関係となっていない状態で引掛シーリングに取り付けられている場合に、引掛シーリングの面によって押さえられるロック爪部１８０ａと、ロック爪部１８０ａが引掛シーリングの面によって押さえられることによって接続部１５０へのコネクタの接続を妨げる位置に位置するストッパー１８５とを備える。【選択図】図７
2015076390.tif 000002
【特許請求の範囲】
【請求項１】
引掛シーリングと照明器具とを接続するための照明器具用アダプタであって、
取り付け面を有し、前記取り付け面が前記引掛シーリングの面に対向した状態で前記引掛シーリングに取り付けられる筐体と、
前記照明器具と前記照明器具用アダプタとを電気的に接続するためのコネクタが接続される、前記筐体に設けられた接続部と、
（１）前記筐体が所定の位置関係で前記引掛シーリングに取り付けられている場合に、前記取り付け面から突出して前記引掛シーリングの面に設けられた開口に挿入され、（２）前記筐体が前記所定の位置関係となっていない状態で前記引掛シーリングに取り付けられている場合に、前記引掛シーリングの面によって押さえられるロック部と、
前記ロック部が前記引掛シーリングの面によって押さえられることによって前記接続部への前記コネクタの接続を妨げる位置に位置するストッパーとを備える
照明器具用アダプタ。
【請求項２】
前記接続部は、前記筐体の前記取り付け面と反対側の面である接続面側に設けられ、
前記ストッパーは、前記ロック部が前記引掛シーリングの面によって押さえられることにより前記取り付け面側から前記接続面側に向かって移動し、前記接続部への前記コネクタの接続を妨げる位置に位置する
請求項１に記載の照明器具用アダプタ。
【請求項３】
前記コネクタは、前記接続面側から前記取り付け面側に向かって前記接続部に挿入され、
前記ストッパーは、前記ロック部が前記引掛シーリングの面によって押さえられることにより前記取り付け面側から前記接続面側に向かって移動し、前記コネクタの前記接続部への挿入量を制限する位置に位置する
請求項２に記載の照明器具用アダプタ。
【請求項４】
前記ロック部と前記ストッパーとは一体として形成される
請求項２または３に記載の照明器具用アダプタ。
【請求項５】
前記接続部は、前記筐体の前記取り付け面と反対側の面である接続面側に設けられ、
前記ストッパーは、前記接続面に沿って設けられ、前記ロック部が前記引掛シーリングの面によって押さえられることにより前記ロック部に押されて前記接続面に沿って前記接続部に向かって移動し、前記接続部への前記コネクタの接続を妨げる位置に位置する
請求項１に記載の照明器具用アダプタ。
【請求項６】
前記ストッパーは、前記ロック部が前記引掛シーリングの面によって押さえられることにより前記ロック部に押されて前記接続面に沿って前記接続部に向かって移動し、前記接続部の少なくとも一部を覆う位置に位置する
請求項５に記載の照明器具用アダプタ。
【請求項７】
さらに、前記ロック部を前記取り付け面から突出させる向きに付勢する弾性部材を備える
請求項１〜６のいずれか１項に記載の照明器具用アダプタ。
【請求項８】
さらに、前記取り付け面側に設けられ、前記引掛シーリングの面に設けられた端子挿入孔に挿入される端子を備え、
前記所定の位置関係は、前記端子を前記端子挿入孔に挿入した後、前記筐体を前記引掛シーリングに対して所定の角度回した状態の前記筐体と前記引掛シーリングとの位置関係である
請求項１〜７のいずれか１項に記載の照明器具用アダプタ。
【請求項９】
前記開口は、前記端子挿入孔であり、
前記ロック部は、前記筐体が所定の位置関係で前記引掛シーリングに取り付けられている場合に、前記取り付け面から突出して前記端子挿入孔に挿入される
請求項８に記載の照明器具用アダプタ。
【請求項１０】
請求項１〜９のいずれか１項に記載の照明器具用アダプタと、
前記照明器具用アダプタに取り付けられる器具本体とを備える
照明器具。
【発明の詳細な説明】
【技術分野】
【０００１】
本発明は、天井に配設された引掛シーリングに照明器具を接続するための照明器具用アダプタ等に関する。
【背景技術】
【０００２】
従来、天井に配設された引掛シーリングに照明器具を電気的及び機械的に接続するための照明器具用アダプタが知られている（例えば、特許文献１参照）。
【０００３】
一方で、近年、発光素子としてＬＥＤを用いた照明器具（ＬＥＤ照明）の普及が進んでいる。ＬＥＤ照明は、寿命が従来の照明器具より長いため、長期間に渡って使用され続けると考えられる。また、ＬＥＤ照明は、従来の照明器具よりも重量が重いことが多い。
【０００４】
よって、照明器具用アダプタによって引掛シーリングに取り付けられるＬＥＤ照明（例えば、ＬＥＤを用いたシーリングライト）では、施工後にＬＥＤ照明が落下することが従来の照明器具よりも一層懸念される。つまり、照明器具用アダプタのＬＥＤシーリングライトへの使用を考慮した場合、照明器具用アダプタには、さらに安全で確実な取り付け構造が求められる。
【先行技術文献】
【特許文献】
【０００５】
【特許文献１】特開２００７−２５０５１２号公報
【発明の概要】
【発明が解決しようとする課題】
【０００６】
上記のような照明器具用アダプタを用いる照明器具の落下は、照明器具用アダプタの引掛シーリングへの取り付けが不完全であることが主な原因である。
【０００７】
そこで、本発明は、引掛シーリングに不完全に取り付けられた状態であることをユーザが気づきやすい照明器具用アダプタ等を提供する。
【課題を解決するための手段】
【０００８】
本発明の一態様に係る照明器具用アダプタは、引掛シーリングと照明器具とを接続するための照明器具用アダプタであって、取り付け面を有し、前記取り付け面が前記引掛シーリングの面に対向した状態で前記引掛シーリングに取り付けられる筐体と、前記照明器具と前記照明器具用アダプタとを電気的に接続するためのコネクタが接続される、前記筐体に設けられた接続部と、（１）前記筐体が所定の位置関係で前記引掛シーリングに取り付けられている場合に、前記取り付け面から突出して前記引掛シーリングの面に設けられた開口に挿入され、（２）前記筐体が前記所定の位置関係となっていない状態で前記引掛シーリングに取り付けられている場合に、前記引掛シーリングの面によって押さえられるロック部と、前記ロック部が前記引掛シーリングの面によって押さえられることによって前記接続部への前記コネクタの接続を妨げる位置に位置するストッパーとを備える。
【０００９】
また、前記接続部は、前記筐体の前記取り付け面と反対側の面である接続面側に設けられ、前記ストッパーは、前記ロック部が前記引掛シーリングの面によって押さえられることにより前記取り付け面側から前記接続面側に向かって移動し、前記接続部への前記コネクタの接続を妨げる位置に位置してもよい。
【００１０】
また、前記コネクタは、前記接続面側から前記取り付け面側に向かって前記接続部に挿入され、前記ストッパーは、前記ロック部が前記引掛シーリングの面によって押さえられることにより前記取り付け面側から前記接続面側に向かって移動し、前記コネクタの前記接続部への挿入量を制限する位置に位置してもよい。
【００１１】
また、前記ロック部と前記ストッパーとは一体として形成されてもよい。
【００１２】
また、前記接続部は、前記筐体の前記取り付け面と反対側の面である接続面側に設けられ、前記ストッパーは、前記接続面に沿って設けられ、前記ロック部が前記引掛シーリングの面によって押さえられることにより前記ロック部に押されて前記接続面に沿って前記接続部に向かって移動し、前記接続部への前記コネクタの接続を妨げる位置に位置してもよい。
【００１３】
また、前記ストッパーは、前記ロック部が前記引掛シーリングの面によって押さえられることにより前記ロック部に押されて前記接続面に沿って前記接続部に向かって移動し、前記接続部の少なくとも一部を覆う位置に位置してもよい。
【００１４】
また、さらに、前記ロック部を前記取り付け面から突出させる向きに付勢する弾性部材を備えてもよい。
【００１５】
また、さらに、前記取り付け面側に設けられ、前記引掛シーリングの面に設けられた端子挿入孔に挿入される端子を備え、前記所定の位置関係は、前記端子を前記端子挿入孔に挿入した後、前記筐体を前記引掛シーリングに対して所定の角度回した状態の前記筐体と前記引掛シーリングとの位置関係であってもよい。
【００１６】
また、前記開口は、前記端子挿入孔であり、前記ロック部は、前記筐体が所定の位置関係で前記引掛シーリングに取り付けられている場合に、前記取り付け面から突出して前記端子挿入孔に挿入されてもよい。
【００１７】
また、本発明の一態様に係る照明装置は、上記いずれかの態様の照明器具用アダプタと、前記照明器具用アダプタに取り付けられる器具本体とを備える。
【発明の効果】
【００１８】
本発明によれば、引掛シーリングに不完全に取り付けられた状態であることをユーザが気づきやすい照明器具用アダプタが実現される。
【図面の簡単な説明】
【００１９】
【図１】図１は、実施の形態１に係る照明器具用アダプタを上面側から見た外観斜視図である。
【図２】図２は、実施の形態１に係る照明器具用アダプタを下面側から見た外観斜視図である。
【図３】図３は、実施の形態１に係る照明器具用アダプタの分解斜視図である。
【図４】図４は、引掛シーリングの外観斜視図である。
【図５】図５は、実施の形態１に係る照明器具用アダプタへの照明器具の取り付け方法及び取り外し方法を説明するための図である。
【図６】図６は、実施の形態１に係る照明器具用アダプタが引掛シーリングに正常に取り付けられている状態を示す斜視図である。
【図７】図７は、実施の形態１に係る照明器具用アダプタが引掛シーリングに正常に取り付けられていない状態を示す斜視図である。
【図８】図８は、実施の形態２に係る照明器具用アダプタの分解斜視図である。
【図９】図９は、実施の形態２に係る照明器具用アダプタが引掛シーリングに正常に取り付けられている状態を示す斜視図である。
【図１０】図１０は、実施の形態２に係る照明器具用アダプタが引掛シーリングに正常に取り付けられていない状態を示す斜視図である。
【図１１】図１１は、ロック部とストッパーとの位置関係を説明するための模式断面図である。
【発明を実施するための形態】
【００２０】
（本発明の基礎となった知見）
従来、照明器具用アダプタを用いる照明器具の落下を防止するための様々な技術が提案されている。特許文献１には、照明器具用アダプタの引掛シーリングへの取り付けが不完全な場合に、照明器具を照明器具用アダプタに取り付けることができない構造が開示されている。
【００２１】
しかしながら、特許文献１に記載のような構造では、ユーザは、照明器具が取り付けられない原因が分からないため、照明器具を無理に照明器具用アダプタに取り付けようとする可能性があり、照明器具が破損する危険性がある。
【００２２】
そこで、本発明は、照明器具用アダプタが引掛シーリングに不完全に取り付けられた状態であることをユーザが気づきやすい照明器具用アダプタを提供する。
【００２３】
以下、実施の形態に係る照明器具用アダプタについて、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００２４】
なお、各図は模式図であり、必ずしも厳密に図示されたものではない。また、各図において、実質的に同一の構成に対しては同一の符号を付しており、重複する説明は省略又は簡略化される場合がある。
【００２５】
（実施の形態１）
以下、実施の形態１に係る照明器具用アダプタについて説明する。なお、以下の実施の形態では、引掛シーリング、照明器具用アダプタ、及び照明器具が天井に取り付けられた状態において天井側を上側、床面側を下側と表現する。
【００２６】
［照明器具用アダプタ及び引掛シーリングの構造］
まず、実施の形態１に係る照明器具用アダプタ及び引掛シーリングの構造について説明する。
【００２７】
図１は、実施の形態１に係る照明器具用アダプタを上面側から見た外観斜視図である。図２は、実施の形態１に係る照明器具用アダプタを下面側から見た外観斜視図である。図３は、実施の形態１に係る照明器具用アダプタの分解斜視図である。
【００２８】
図４は、引掛シーリングの外観斜視図である。図４の（ａ）は、引掛シーリングを上面側から見た図であり、図４の（ｂ）は、引掛シーリングを下面側から見た図である。なお、図１〜図４では、部材同士を固定するねじについては、図示が省略される。
【００２９】
照明器具用アダプタ１００は、筐体１１５（本体部１１０及びカバー１５５）と、端子１２０ａ及び１２０ｂと、係止部材１３０ａ及び１３０ｂと、ロック解除ボタン１４０と、接続部１５０とを備える。また、照明器具用アダプタ１００は、レバー１６０ａ及び１６０ｂと、ねじりばね１７０と、ロック部１８０と、コイルばね１９０とを備える。
【００３０】
一方、引掛シーリング２００は、ボディ２１０と、ねじ孔２２０ａ及び２２０ａと、端子挿入孔２３０（挿入口２３１及びガイド孔２３２）と、端子挿入孔２４０（挿入口２４１及びガイド孔２４２）とを備える。また、図示されないが、引掛シーリング２００は、ボディ２１０の内部に端子１２０ａ及び端子１２０ｂを保持する端子受け部を備える。
【００３１】
照明器具用アダプタ１００の引掛シーリング２００への取り付け方法は、以下の通りである。なお、引掛シーリング２００は、ねじ孔２２０ａ及び２２０ａに挿入されるねじによって天井面に取り付けられているものとする。
【００３２】
照明器具用アダプタ１００は、筐体１１５の上面（以下、取り付け面とも記載する）が引掛シーリング２００の下面に対向した状態で取り付けられる。
【００３３】
具体的には、まず、ユーザは、照明器具用アダプタ１００の端子１２０ａを引掛シーリング２００の挿入口２３１に挿入し、照明器具用アダプタ１００の端子１２０ｂが引掛シーリング２００の挿入口２４１に挿入する。このとき、照明器具用アダプタ１００の筐体１１５の上面と引掛シーリング２００の下面とが当接した状態となり、ロック爪部１８０ａが引掛シーリング２００の下面によって押し下げられ、筐体１１５の内部に没入する。
【００３４】
次に、ユーザは、下面側から見て、引掛シーリング２００に対して照明器具用アダプタ１００を時計回りに回動させる。これにより、端子１２０ａは、ガイド孔２３２に沿って移動し、端子１２０ｂは、ガイド孔２４２に沿って移動する。端子１２０ａがガイド孔２３２の終端に達し、端子１２０ｂがガイド孔２４２の終端に達するまで照明器具用アダプタ１００が回動されると、端子１２０ａ及び１２０ｂは、ボディ２１０の内部に設けられた端子受け部に保持される。これにより、引掛シーリング２００と照明器具用アダプタ１００とは、電気的及び機械的に接続される。
【００３５】
また、端子１２０ａがガイド孔２３２の終端に達し、端子１２０ｂがガイド孔２４２の終端に達すると、ロック爪部１８０ａの位置が、挿入口２４１の位置に一致する。したがって、ロック爪部１８０ａは、コイルばね１９０の付勢力（弾性力）により、筐体１１５の上面から突出して挿入口２４１に嵌まり込む。この状態が、照明器具用アダプタ１００が引掛シーリング２００に正常に取り付けられた状態（所定の位置関係で取り付けられた状態）である。
【００３６】
ここで、所定の位置関係とは、言い換えれば、端子１２０ａ及び１２０ｂを挿入口２３１及び２４１にそれぞれ挿入した後、筐体１１５を引掛シーリング２００に対して所定の角度回した状態の筐体１１５と引掛シーリング２００との位置関係である。
【００３７】
この状態では、照明器具用アダプタ１００の引掛シーリング２００に対する取り外し方向の（反時計回りの）回動は、ロック爪部１８０ａと挿入口２４１の内周面とが当接することによりロックされる。
【００３８】
続いて、照明器具用アダプタ１００の各構成要素について図１〜図３を用いてさらに詳細に説明する。
【００３９】
本体部１１０は、下面側が開口した有底円筒状（扁平状）の部材である。本体部１１０は、例えば、絶縁性を有する合成樹脂材料により形成され、カバー１５５とともに照明器具用アダプタの筐体１１５を構成する。
【００４０】
本体部１１０の上面に設けられた矩形状の２つの開口からは、端子１２０ａ及び１２０ｂがそれぞれ突出している。また、本体部１１０の上面に設けられた、上記２つの開口とは異なる矩形状の開口からは、ロック爪部１８０ａが突出する。
【００４１】
本体部１１０の側面には、開口１１０ａ及び開口１１０ｂが設けられる。開口１１０ａからは、係止部材１３０ａが本体部１１０の外側に向けて突出している。開口１１０ｂからは、係止部材１３０ｂが本体部１１０の外側に向けて突出している。本体部１１０の内側には、接続部１５０が設けられている。
【００４２】
接続部１５０（コネクタ挿入口）は、本体部１１０のうち上面を構成する部分から、下面（以下、接続面とも記載する）側に向けて筒状に延出した部分である。接続部１５０は、カバー１５５の中央に設けられた開口を通じて筐体１１５から露出し、照明器具のコネクタが抜き挿し自在に接続される。すなわち、接続部１５０は、筐体１１５（本体部１１０及びカバー１５５）の取り付け面と反対側の面である接続面側に設けられる。
【００４３】
カバー１５５は、本体部１１０の下面側を覆う樹脂製で板状の部材である。カバー１５５は、筐体１１５の下面（接続面）を構成し、カバー１５５の中央には、開口が設けられる。当該開口からは、接続部１５０並びにレバー１６０ａ及び１６０ｂの一端が露出する。
【００４４】
端子１２０ａ及び１２０ｂは、金属製の板状の部材である。端子１２０ａ及び端子１２０ｂの一端は、筐体１１５（本体部１１０）の上面から突出し、引掛シーリングと着脱可能に接続される。端子１２０ａ及び１２０ｂの他端は、接続部１５０の側面に設けられた切り欠きを通って接続部１５０の内側に配置される。端子１２０ａ及び１２０ｂの他端は、照明器具のコネクタが接続部１５０に接続された状態において、照明器具のコネクタ内の金属端子と接続される。
【００４５】
係止部材１３０ａ及び１３０ｂは、照明器具を保持する（照明器具を係止させる）ための樹脂製の部材である。係止部材１３０ａ及び１３０ｂは、ねじりばね１７０によって筐体１１５（本体部１１０）の内側から外部に向けて付勢されており、開口１１０ａ及び１１０ｂからそれぞれ筐体１１５の外側に向けて突出している。係止部材１３０ａ及び１３０ｂのうち筐体１１５の外側に位置する部分の端は、傾斜面となっている。
【００４６】
レバー１６０ａ及びレバー１６０ｂは、係止部材１３０ａ及び１３０ｂをねじりばね１７０の弾性力に抗して筐体１１５の内側に移動させるための樹脂製の部材である。ユーザは、レバー１６０ａ及びレバー１６０ｂを操作して係止部材１３０ａ及び１３０ｂを筐体１１５の内側に移動させ、照明器具を照明器具用アダプタ１００から取り外す。このため、レバー１６０ａ及び１６０ｂの一端は、カバー１５５の中央に設けられた開口を通じて筐体１１５の外部に位置する。
【００４７】
レバー１６０ａの係合部１６１ａは、係止部材１３０ａの凹部１３１ａに配置され、これによりレバー１６０ａと係止部材１３０ａとは係合する。レバー１６０ａが筐体１１５の中央部分から外側に向けて引っ張られることで係止部材１３０ａは、筐体１１５の内側に移動する。
【００４８】
レバー１６０ｂの係合部１６１ｂは、係止部材１３０ｂの凹部１３１ｂに配置され、これによりレバー１６０ｂと係止部材１３０ｂとは係合する。レバー１６０ｂが筐体１１５の中央部分から筐体１１５の外側に向けて引っ張られることで係止部材１３０ｂは、筐体１１５の内側に移動する。
【００４９】
ロック部１８０は、上述のように、照明器具用アダプタ１００が引掛シーリング２００に正常に取り付けられた状態において、照明器具用アダプタ１００が引掛シーリング２００から外れないようにロックするための部材である。ロック部１８０は、ロック爪部１８０ａと、バネ用穴１８０ｂと、傾斜面１８０ｃとを備える。ロック部１８０は、ストッパー１８５と一体形成される樹脂製の部材である。
【００５０】
ロック部１８０のバネ用穴１８０ｂには、コイルばね１９０が挿入される。コイルばね１９０は、一端がバネ用穴１８０ｂ内の壁に当接し、他端がカバー１５５の内側の面に当接することにより、ロック部１８０を下面側から上面側に向けて付勢し、ロック爪部１８０ａを筐体１１５の上面から突出させる。
【００５１】
ロック解除ボタン１４０は、正常に取り付けられた状態の照明器具用アダプタ１００を、引掛シーリング２００から取り外す際に、ロック爪部１８０ａを筐体１１５の内側に向けて移動させる（没入させる）ためのボタンである。ロック解除ボタン１４０は、その一部が筐体１１５の側面に設けられた切り欠き部分を通じて筐体１１５の外側に位置する樹脂製の部材である。
【００５２】
ロック解除ボタン１４０の傾斜面１４０ａと、ロック部１８０の傾斜面１８０ｃとは当接し、摺動可能に配置されている。したがって、ユーザがロック解除ボタン１４０を筐体１１５の内側に押し込むと、ロック解除ボタン１４０の傾斜面１４０ａが、ロック部１８０の傾斜面１８０ｃと摺動する。この結果、コイルばね１９０の付勢力（弾性力）に抗してロック爪部１８０ａ（ロック部１８０）が筐体１１５の上面側から下面側に押し下げられる。
【００５３】
上述のように、正常に取り付けられた状態では、ロック爪部１８０ａが引掛シーリング２００の挿入口２４１の内周面に当接し、照明器具用アダプタ１００と、引掛シーリング２００とはロックされている。
【００５４】
しかしながら、ロック解除ボタン１４０が押されれば、ロック爪部１８０ａが筐体１１５の上面側から下面側に押し下げられるため、ロック爪部１８０ａと挿入口２４１の内周面との当接が解消される。つまり、ユーザは、ロック解除ボタン１４０を押したまま、照明器具用アダプタ１００を引掛シーリング２００に対して取り外し方向（反時計回りの方向）に向けて回動させることができる。
【００５５】
そして、ユーザは、端子１２０ａ及び１２０ｂがそれぞれ引掛シーリング２００の挿入口２３１及び２４１の位置に達するまで照明器具用アダプタ１００を回動させれば、照明器具用アダプタ１００を引掛シーリング２００から取り外すことができる。
【００５６】
ストッパー１８５は、接続部１５０を両端から挟むように設けられる、二又に分かれた板状の部材である。ストッパー１８５は樹脂製であり、実施の形態１では、ロック部１８０と一体として形成される。ストッパー１８５の動きについては後述する。
【００５７】
［照明器具用アダプタへの照明器具の取り付け方法及び取り外し方法］
次に、照明器具用アダプタ１００への照明器具の取り付け方法について説明する。図５は、照明器具用アダプタ１００への照明器具の取り付け方法及び取り外し方法を説明するための図である。
【００５８】
図５に示される照明器具３００は、器具本体３１０と、光源ユニット３２０ａ及び３２０ｂと、コネクタ３３０と、蓋３４０と、グローブ３５０と、取り付け孔３６０を備える。
【００５９】
器具本体３１０には、光源ユニット３２０ａ及び３２０ｂと、光源ユニット３２０ａ及び３２０ｂに電気的に接続されたコネクタ３３０とが設けられている。また、器具本体３１０の中央部分には、円形の取り付け孔３６０が設けられている。
【００６０】
光源ユニット３２０ａ及び３２０ｂは、それぞれが内部に複数のＬＥＤを有する光源であり、グローブ３５０（下方）に向けて光を発する。
【００６１】
コネクタ３３０は、照明器具用アダプタ１００の接続部１５０に接続されるコネクタである。コネクタ３３０が接続部１５０に接続されることにより、照明器具用アダプタ１００と、照明器具３００とは電気的に接続される。なお、コネクタ３３０には、板状部３３０ａが設けられ、板状部３３０ａは、接続部１５０の側面に設けられた切り欠きに挿入される。
【００６２】
コネクタ３３０が、接続部１５０に接続されている場合、コネクタ３３０内の金属端子が上述した接続部１５０内の端子１２０ａの他端及び１２０ｂの他端に接続される。さらに端子１２０ａ及び１２０ｂは、引掛シーリング２００内の端子受け部と電気的に接続されている。
【００６３】
したがって、コネクタ３３０が接続部１５０に接続されることによって、引掛シーリング２００から照明器具用アダプタ１００及びコネクタ３３０を通じて光源ユニット３２０ａ及び３２０ｂに電力を供給することができる状態となる。
【００６４】
グローブ３５０は、透光性を有する光学部材であり、グローブ３５０の平面視形状は、角丸矩形状である。グローブ３５０は、器具本体３１０の下面を覆うように器具本体３１０に取り付けられる。
【００６５】
照明器具３００の取り付け方法は、以下の通りである。照明器具用アダプタ１００が引掛シーリング２００に取り付けられた後、ユーザは、取り付け孔３６０に照明器具用アダプタ１００の筐体１１５が挿入されるように器具本体３１０を押し上げる。このとき、取り付け孔３６０の内周面と、係止部材１３０ａ及び１３０ｂの端部の傾斜面とが当接し、係止部材１３０ａ及び１３０ｂが、ねじりばね１７０の付勢力に抗して筐体１１５の内側に向けて押し込まれる。
【００６６】
係止部材１３０ａ及び１３０ｂが取り付け孔３６０を通過すると、取り付け孔３６０の内周面と、係止部材１３０ａ及び１３０ｂの端部の傾斜面との当接が解消され、係止部材１３０ａ及び１３０ｂが、ねじりばね１７０の付勢力によって筐体１１５の外側に突出する。そうすると、器具本体３１０の取り付け孔３６０の周縁部分が、係止部材１３０ａ及び１３０ｂに係止する。
【００６７】
その後、ユーザは、照明器具用アダプタ１００の接続部１５０にコネクタ３３０を接続し、取り付け孔３６０を下面側から覆う蓋３４０と、グローブ３５０とを装着する。これにより、照明器具用アダプタ１００への照明器具３００の機械的及び電気的な取り付けが完了する。
【００６８】
また、照明器具３００の取り外し方法は、以下の通りである。ユーザは、まず、グローブ３５０と、蓋３４０とを外し、その後、接続部１５０からコネクタ３３０を取り外す。
【００６９】
次に、ユーザは、レバー１６０ａ及び１６０ｂを、それぞれ筐体１１５の中央部分から外側に向けて引くことによって、係止部材１３０ａ及び１３０ｂを筐体１１５の内側に移動させる。これにより、ユーザは、器具本体３１０を照明器具用アダプタ１００から取り外すことができる。
【００７０】
なお、上述のように、ユーザは、ロック解除ボタン１４０を押したまま、照明器具用アダプタ１００を引掛シーリング２００に対して取り外し方向に向けて回動させれば、照明器具用アダプタ１００を引掛シーリング２００から取り外すことができる。
【００７１】
［照明器具用アダプタの特徴構成］
次に、照明器具用アダプタ１００の特徴構成について説明する。照明器具用アダプタ１００は、ストッパー１８５が設けられていることが特徴である。
【００７２】
図６は、照明器具用アダプタ１００が引掛シーリング２００に正常に取り付けられている状態を示す斜視図である。図６の（ａ）は、照明器具用アダプタ１００を上面側から見た図である。図６の（ｂ）は、照明器具用アダプタ１００の内部構造を下面側から見た図であり、一部の構成要素（カバー１５５など）については、図示が省略されている。
【００７３】
図６の（ａ）に示されるように、ロック爪部１８０ａ（ロック部１８０）は、筐体１１５が所定の位置関係で引掛シーリング２００に取り付けられている場合に、筐体１１５の取り付け面（上面）から突出し、引掛シーリング２００の挿入口２４１に挿入される。
【００７４】
このとき、ストッパー１８５は、図６の（ｂ）に示されるように、接続部１５０へのコネクタ３３０の接続を妨げない位置に位置している。
【００７５】
これに対し、ストッパー１８５は、照明器具用アダプタ１００が引掛シーリング２００に正常に取り付けられていない場合は、接続部１５０へのコネクタ３３０の接続を妨げる位置に位置する。
【００７６】
図７は、照明器具用アダプタ１００が引掛シーリング２００に正常に取り付けられていない状態を示す斜視図である。図７の（ａ）は、照明器具用アダプタ１００を上面側から見た図である。図７の（ｂ）は、照明器具用アダプタ１００の内部構造を下面側から見た図であり、一部の構成要素（カバー１５５など）については、図示が省略されている。
【００７７】
図７の（ａ）に示されるように、ロック爪部１８０ａ（ロック部１８０）は、筐体１１５が所定の位置関係となっていない状態で引掛シーリング２００に取り付けられている場合に、引掛シーリング２００の下面によって、筐体１１５の上面側から下面側に向けて押さえられる。
【００７８】
ここで、ストッパー１８５は、ロック部１８０と一体である。よって、ストッパー１８５は、図７の（ｂ）に示されるように、筐体１１５が正常に取り付けられている場合よりも、ロック爪部１８０ａの移動量だけ筐体１１５の下面側に移動する。このときのストッパー１８５の位置は、接続部１５０に挿入されるコネクタ３３０コネクタの１５０接続部への挿入量を制限する位置である。
【００７９】
接続部１５０の側面に設けられた切り欠きには、コネクタ３３０の板状部３３０ａが挿入される。図７の（ｂ）に示されるようにストッパー１８５が下面側に位置する状態では、ユーザがコネクタを接続部１５０に挿入する際に、板状部３３０ａがストッパー１８５に干渉（当接）するため、コネクタ３３０を接続部１５０に完全に挿入することができない。
【００８０】
以上説明したように、実施の形態１に係る照明器具用アダプタ１００では、照明器具用アダプタ１００が引掛シーリング２００に正常に取り付けられていないときには、ストッパー１８５は、接続部１５０へのコネクタ３３０の接続を妨げる位置に位置する。
【００８１】
これにより、ユーザは、照明器具用アダプタ１００が引掛シーリング２００に正常に取り付けられていないときは、コネクタ３３０を接続部１５０に接続（挿入）することができない。言い換えれば、ユーザは、照明器具用アダプタ１００が引掛シーリング２００に正常に取り付けられていない場合、照明器具３００を点灯することができない。このため、ユーザは、照明器具用アダプタ１００が引掛シーリング２００に正常に取り付けられていないことに気づきやすい。
【００８２】
したがって、照明器具用アダプタ１００の引掛シーリング２００への取り付けが不完全なまま、照明器具３００が照明器具用アダプタ１００に取り付けられることによる、照明器具３００の落下事故等の発生を抑制することができる。
【００８３】
また、特許文献１のような構成と比較した場合、照明器具用アダプタ１００では、照明器具３００や周辺部品を破損するリスクを低減することができる。
【００８４】
また、照明器具用アダプタ１００のように、ロック部１８０と、ストッパー１８５とが一体として形成される場合には、照明器具用アダプタ１００を構成する部品点数が削減される。これにより、組み立て工数が削減される効果や、製造コストが削減される効果がある。
【００８５】
（実施の形態２）
ストッパーの態様は、実施の形態１で説明した態様に限定されるものではない。ストッパーは、照明器具用アダプタ１００が引掛シーリング２００に正常に取り付けられていないときにロック部に連動して接続部１５０へのコネクタ３３０の挿入を妨げる位置に位置すれば、その他の態様であってもよい。以下、実施の形態２に係る照明器具用アダプタについて説明する。
【００８６】
［実施の形態２に係る照明器具用アダプタの構造］
まず、実施の形態２に係る照明器具用アダプタの構造について説明する。図８は、実施の形態２に係る照明器具用アダプタの分解斜視図である。
【００８７】
図８に示される照明器具用アダプタ４００は、カバー４５５、ロック部４８０、及びストッパー４８５の構成が照明器具用アダプタ１００と異なる。以下、これらの構成要素について詳細に説明する。なお、照明器具用アダプタ４００では、筐体１１５は、本体部１１０とカバー４５５とから構成されるものとする。
【００８８】
ロック部４８０は、実施の形態１と同様に、照明器具用アダプタ４００が引掛シーリング２００に正常に取り付けられた状態において、照明器具用アダプタ４００が引掛シーリング２００から外れないようにロックするための部材である。ロック部４８０は、ロック爪部４８０ａと、バネ用穴４８０ｂと、傾斜面４８０ｃ及び４８０ｄとを備える。実施の形態２では、ロック部４８０は、ストッパー４８５とは別体として形成される樹脂製の部材である。
【００８９】
ロック部４８０のバネ用穴４８０ｂには、コイルばね１９０が挿入される。コイルばね１９０は、一端がバネ用穴４８０ｂ内の壁に当接し、他端がカバー４５５の内側の面に当接することにより、ロック部４８０を下面側から上面側に向けて付勢し、ロック爪部４８０ａを筐体１１５の上面から突出させる。
【００９０】
実施の形態１と同様に、ロック爪部４８０ａは、照明器具用アダプタ１００が引掛シーリング２００に正常に取り付けられた状態においては、コイルばね１９０の付勢力（弾性力）により、筐体１１５の上面から突出して挿入口２４１に嵌まり込む。
【００９１】
また、実施の形態１と同様に、ロック解除ボタン１４０の傾斜面１４０ａと、ロック部４８０の傾斜面４８０ｃとは当接し、摺動可能に配置されている。したがって、ユーザがロック解除ボタン１４０を筐体１１５の内側に押し込むと、ロック解除ボタン１４０の傾斜面１４０ａが、ロック部４８０の傾斜面４８０ｃと摺動する。この結果、コイルばね１９０の付勢力（弾性力）に抗してロック部４８０が筐体１１５の上面側から下面側に押し下げられる。
【００９２】
ストッパー４８５は、樹脂製で略板状の部材である。ストッパー４８５は、筐体１１５の接続面（下面）に沿って設けられる。ストッパー４８５の傾斜面４８５ｃと、ロック部４８０の傾斜面４８０ｄとは当接し、摺動可能に配置されている。
【００９３】
カバー４５５は、本体部１１０の下面側を覆う樹脂製で略円形の板状の部材である。カバー４５５は、筐体１１５の下面を構成し、カバー４５５の中央には、開口が設けられる。当該開口からは、接続部１５０並びにレバー１６０ａ及び１６０ｂの一端が露出する。
【００９４】
また、当該開口の一部である切り欠き部４５０ａには、ストッパー４８５のスライド部４８５ａがスライド挿入され、切り欠き部４５０ｂには、ストッパー４８５のスライド部４８５ｂがスライド挿入される。これにより、ストッパー４８５の係止部４８５ｄ及び４８５ｅがカバー４５５に引っ掛かるため、ストッパー４８５が筐体１１５（カバー４５５）に係止する。
【００９５】
［実施の形態２に係る照明器具用アダプタの特徴構成］
次に、照明器具用アダプタ４００の特徴構成について説明する。照明器具用アダプタ４００は、ストッパー４８５が設けられていることが特徴である。
【００９６】
図９は、照明器具用アダプタ４００が引掛シーリング２００に正常に取り付けられている状態を示す斜視図である。図９の（ａ）は、照明器具用アダプタ４００を上面側から見た図である。図９の（ｂ）は、照明器具用アダプタ４００の内部構造を下面側から見た図であり、一部の構成要素（カバー４５５など）については、図示が省略されている。
【００９７】
図９の（ａ）に示されるように、ロック爪部４８０ａ（ロック部４８０）は筐体１１５が所定の位置関係で引掛シーリング２００に取り付けられている場合に、筐体１１５の取り付け面（上面）から突出し、引掛シーリング２００の挿入口２４１に挿入される。
【００９８】
このとき、ストッパー４８５は、図９の（ｂ）に示されるように、筐体１１５を筐体１１５の下面に垂直な方向から見た場合に、接続部１５０を覆っていない。すなわち、ストッパー４８５は、コネクタ３３０の接続を妨げない位置に位置している。
【００９９】
これに対し、ストッパー４８５は、照明器具用アダプタ４００が引掛シーリング２００に正常に取り付けられていない場合、筐体１１５を筐体１１５の下面に垂直な方向から見た場合に、接続部１５０の一部を覆う。
【０１００】
図１０は、照明器具用アダプタ４００が引掛シーリング２００に正常に取り付けられていない状態を示す斜視図である。図１０の（ａ）は、照明器具用アダプタ４００を上面側から見た図である。図１０の（ｂ）は、照明器具用アダプタ４００の内部構造を下面側から見た図であり、一部の構成要素（カバー４５５など）については、図示が省略されている。
【０１０１】
図１０の（ａ）に示されるように、ロック爪部４８０ａ（ロック部４８０）は、筐体１１５が所定の位置関係となっていない状態で引掛シーリング２００に取り付けられている場合に、引掛シーリング２００の下面によって、筐体１１５の上面側から下面側に向けて押さえられる。
【０１０２】
上述のように、ストッパー４８５は、傾斜面４８５ｃがロック部４８０の傾斜面４８０ｄと摺動可能に配置されている。よって、ストッパー４８５は、ロック部４８０が引掛シーリング２００の面によって押さえられることによってロック部４８０に押されて筐体１１５の接続面に沿って接続部１５０に向かって移動する。この結果、図１０の（ｂ）に示されるように、ストッパー４８５は、筐体１１５が正常に取り付けられている場合よりも、接続部１５０に近づき、接続部１５０の一部を覆う。
【０１０３】
ロック部４８０とストッパー４８５との位置関係について図１１を用いて詳細に説明する。図１１は、ロック部４８０とストッパー４８５との位置関係を説明するための模式図である。図１１の（ａ）は、引掛シーリング２００に正常に取り付けられている状態の照明器具用アダプタ４００を示す図であり、図１１の（ｂ）は、引掛シーリング２００に正常に取り付けられていない状態の照明器具用アダプタ４００を示す図である。なお、図１１は、照明器具用アダプタ４００の内部構造を側面側から見た図であり、筐体１１５（本体部１１０）のみが断面図として図示されている。
【０１０４】
ロック爪部４８０ａが筐体１１５の取り付け面から突出している状態（図１１の（ａ））から、ロック爪部４８０ａが筐体１１５の内側に押し込まれると（図１１の（ｂ））、ストッパー４８５の傾斜面４８５ｃと、ロック部４８０の傾斜面４８０ｄとが摺動する。この結果、ストッパー４８５は、ロック部４８０に押されて接続部１５０に向かって移動し、接続部１５０の一部を覆う。
【０１０５】
図１１の（ｂ）に示されるように、ストッパー４８５が接続部１５０の一部を覆う状態では、コネクタ３３０がストッパー４８５に干渉するため、ユーザは、コネクタ３３０を接続部１５０に挿入することができない。
【０１０６】
以上説明したように、実施の形態２に係る照明器具用アダプタ４００では、照明器具用アダプタ４００が引掛シーリング２００に正常に取り付けられていないときには、ストッパー４８５は、接続部１５０の少なくとも一部を覆う位置、すなわち、接続部１５０へのコネクタ３３０の接続を妨げる位置に位置する。
【０１０７】
これにより、ユーザは、照明器具用アダプタ４００が引掛シーリング２００に正常に取り付けられていないときは、コネクタ３３０を接続部１５０に挿入することができない。このため、ユーザは、照明器具用アダプタ４００が引掛シーリング２００に正常に取り付けられていないことに気づくことができる。
【０１０８】
また、照明器具用アダプタ４００のようにストッパー４８５が接続部１５０の一部を覆う場合、ユーザは視覚的にコネクタ３３０を挿入することができないことが分かる。このため、ユーザは、照明器具用アダプタ４００の取り付けが不完全であることを容易に認識することができる。
【０１０９】
なお、ストッパー４８５は、接続部１５０の一部ではなく全部を覆ってもよい。これにより、ユーザは、照明器具用アダプタ４００の取り付けが不完全であることをさらに容易に認識することができる。
【０１１０】
また、ストッパー４８５は、弾性部材により、筐体１１５の中心から外側に向けて付勢されてもよい。これにより、照明器具用アダプタ４００が引掛シーリング２００に正常に取り付けられているときには、ストッパー４８５は確実に接続部１５０を覆わないため、ユーザは、照明器具用アダプタ４００の取り付けが正常であるか否かを認識しやすい。
【０１１１】
（その他の実施の形態）
以上、実施の形態に係る照明器具用アダプタについて説明したが、本発明は、上記実施の形態に限定されるものではない。
【０１１２】
上記実施の形態では、接続部１５０は、筐体１１５の接続面（下面）に設けられたが、接続部１５０は、筐体１１５の側面に設けられてもよい。
【０１１３】
上記実施の形態では、筐体１１５及び引掛シーリングの形状は、円筒状であるとして説明したが、筐体１１５及び引掛シーリングの形状は、このような形状に限定されるものではなく、その他の形状であってもよい。
【０１１４】
上記実施の形態では、ロック部とストッパーとは一体として形成されるか、または、ロック部とストッパーとは当接するものとして説明されたが、ロック部とストッパーとは、歯車や、弾性部材など他の部材を介して接続されていてもよい。
【０１１５】
また、本発明は、照明器具用アダプタと、これに接続される器具本体とを備える照明器具して実現されてもよい。この場合、照明器具の光源は、基板上にＬＥＤチップを直接実装した、ＣＯＢ（Ｃｈｉｐ  Ｏｎ  Ｂｏａｒｄ）型の光源であってもよい。また、照明器具の光源は、表面実装型（ＳＭＤ：Ｓｕｒｆａｃｅ  Ｍｏｕｎｔ  Ｄｅｖｉｃｅ）のＬＥＤ素子を用いた光源であってもよい。なお、表面実装型のＬＥＤ素子とは、樹脂成型されたキャビティの中にＬＥＤチップを実装して当該キャビティ内に蛍光体含有樹脂を封入したパッケージ型のＬＥＤ素子である。
【０１１６】
また、照明器具の光源は、ＬＥＤを使用するものに限定されず、いわゆる蛍光灯であってもよいし、半導体レーザ等の半導体発光素子、有機ＥＬ（Ｅｌｅｃｔｒｏ  Ｌｕｍｉｎｅｓｃｅｎｃｅ）または無機ＥＬ等の固体発光素子を用いた光源であってもよい。
【０１１７】
また、照明器具の器具本体は、図５を用いて説明した形状及び態様に限定されるものではない。例えば、吊り下げ式の器具本体（照明器具）にも本発明は適用可能である。
【０１１８】
以上、一つまたは複数の態様に係る照明器具用アダプタについて、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【符号の説明】
【０１１９】
１００、４００  照明器具用アダプタ
１１０  本体部
１１５  筐体
１２０ａ、１２０ｂ  端子
１３０ａ、１３０ｂ  係止部材
１３１ａ、１３１ｂ  凹部
１４０  ロック解除ボタン
１４０ａ、１８０ｃ、４８０ｃ、４８０ｄ、４８５ｃ  傾斜面
１５０  接続部
１５５、４５５  カバー
１６０ａ、１６０ｂ  レバー
１６１ａ、１６１ｂ  係合部
１７０  ねじりばね
１８０、４８０  ロック部
１８０ａ、４８０ａ  ロック爪部
１８０ｂ、４８０ｂ  バネ用穴
１８５、４８５  ストッパー
１９０  コイルばね
２００  引掛シーリング
２１０  ボディ
２２０ａ、２２０ｂ  ねじ孔
２３０、２４０  端子挿入孔
２３１、２４１  挿入口
２３２、２４２  ガイド孔
３００  照明器具
３１０  器具本体
３２０ａ、３２０ｂ  光源ユニット
３３０  コネクタ
３３０ａ  板状部
３４０  蓋
３５０  グローブ
３６０  取り付け孔
４５０ａ、４５０ｂ  切り欠き部
４８５ａ、４８５ｂ  スライド部
４８５ｄ、４８５ｅ  係止部
【図１】
2015076390.tif 000003
【図２】
2015076390.tif 000004
【図３】
2015076390.tif 000005
【図４】
2015076390.tif 000006
【図５】
2015076390.tif 000007
【図６】
2015076390.tif 000008
【図７】
2015076390.tif 000009
【図８】
2015076390.tif 000010
【図９】
2015076390.tif 000011
【図１０】
2015076390.tif 000012
【図１１】
2015076390.tif 000013